(57)【特許請求の範囲】
【請求項１】
小便器の鉢面上部にスプレッダーを取り付け、給水管からの水を該スプレッダーから該鉢面に向けて射水し洗浄するようになした小便器の洗浄装置において、
前記スプレッダーの下面に且つ左右方向に沿ってスリット状の主射水孔を、該スプレッダー内部の空洞部に連通する状態で設けるとともに、該空洞部内に且つ該空洞部及び該主射水孔の左右端より中心側に偏った位置に、左右の端部側に進むにつれて下方に移行する形状をなし、該空洞部を左右端に向って流れた水流の向きを下方且つ中心側と反対側の斜め外方に方向誘導する主ガイド面を、該ガイド面の下端が該主射水孔より所定距離上方に位置する形態で設けたことを特徴とする小便器の洗浄装置。
【請求項２】
請求項１に記載の洗浄装置において、前記空洞部内には前記主ガイド面より中心側に水流を該主ガイド面に向けて左右方向に案内する水平な補助ガイド面が設けてあることを特徴とする小便器の洗浄装置。
【請求項３】
請求項１，２の何れかに記載の洗浄装置において、前記スプレッダーの下面且つ前記主ガイド面を延長した部分に、前記主射水孔よりも前後方向幅の大きな補助射水孔を設けたことを特徴とする小便器の洗浄装置。
【請求項４】
請求項１〜３の何れかに記載の洗浄装置において、前記主射水孔は左右方向中心部に向って下がり形状をなしており且つ該中心部に閉塞部が設けてあることを特徴とする小便器の洗浄装置。
【発明の詳細な説明】
【０００１】
【発明の属する技術分野】
この発明は小便器の洗浄装置に関し、詳しくはスプレッダーからの射水により小便器を洗浄する装置に関する。
【０００２】
【従来の技術】
従来、小便器の洗浄方式として小便器上部から鉢面に沿って洗浄水を流下させるとともに、洗浄水の一部を小便器側周縁の縦向きのリム内部のリム通水路に沿って流下させ、そのリム通水路に設けた複数の孔より鉢内面に射水して鉢面及び下部の垂れ受部を洗浄する方式と、小便器の鉢面上部にスプレッダーを取り付け、給水管からの水をそのスプレッダーから鉢面に向けて射水し洗浄する方式とが知られている。
【０００３】
後者のスプレッダーを用いた洗浄方式の場合、即ちスプレッダーからの射水にて小便器を洗浄する洗浄装置の場合、少ない水量で小便器洗浄を行い得るとともに洗浄時間が短くて済み、また小便器の側周縁に縦向きのリムを設ける必要がないことから、小便器の製造が容易となり、また清掃の際そのリムが邪魔になるといったことがなく、小便器の清掃性が良いといった利点がある。
【０００４】
【発明が解決しようとする課題】
反面においてこのスプレッダーを用いた小便器の洗浄装置の場合、給水管からの給水圧の変動等によってスプレッダーからの水量が少ない小流量時とスプレッダーからの水量が多い大流量時とで小便器の洗浄範囲が異なってしまうといった問題があった。
【０００５】
具体的には、図６に示しているようにスプレッダー２００からの水量が少ない小流量時には同図（Ｂ）に示しているように狭い領域Ｓだけしか小便器２０２を洗浄できず、逆に大流量時には同図（Ａ）に示しているように広い領域Ｌに亘って小便器洗浄が可能であるものの、この大流量時にはスプレッダー２００からの洗浄水の勢いが強いことから、洗浄水の一部が鉢外に流出してしまうといった不都合があった。
【０００６】
尚、図７において２０４は小便器２０２の下部において垂れ受部２０６の内面を巡るように形成された段部であって、スプレッダー２００からの洗浄水はその一部がこの段部２０４の上に乗ってその段部２０４に導かれて垂れ受部２０６の内面を巡るように流れつつ下方へと流下し、垂れ受部２０６の前部内面をも洗浄する。
【０００７】
【課題を解決するための手段】
本発明の小便器の洗浄装置はこのような課題を解決するために案出されたものである。
而して請求項１のものは、小便器の鉢面上部にスプレッダーを取り付け、給水管からの水を該スプレッダーから該鉢面に向けて射水し洗浄するようになした小便器の洗浄装置において、前記スプレッダーの下面に且つ左右方向に沿ってスリット状の主射水孔を、該スプレッダー内部の空洞部に連通する状態で設けるとともに、該空洞部内に且つ該空洞部及び該主射水孔の左右端より中心側に偏った位置に、左右の端部側に進むにつれて下方に移行する形状をなし、該空洞部を左右端に向って流れた水流の向きを下方且つ中心側と反対側の斜め外方に方向誘導する主ガイド面を、該ガイド面の下端が該主射水孔より所定距離上方に位置する形態で設けたことを特徴とする。
【０００８】
請求項２のものは、請求項１に記載の洗浄装置において、前記空洞部内には前記主ガイド面より中心側に水流を該主ガイド面に向けて左右方向に案内する水平な補助ガイド面が設けてあることを特徴とする。
【０００９】
請求項３のものは、請求項１，２の何れかに記載の洗浄装置において、前記スプレッダーの下面且つ前記主ガイド面を延長した部分に、前記主射水孔よりも前後方向幅の大きな補助射水孔を設けたことを特徴とする。
【００１０】
請求項４のものは、請求項１〜３の何れかに記載の洗浄装置において、前記主射水孔は左右方向中心部に向って下がり形状をなしており且つ該中心部に閉塞部が設けてあることを特徴とする。
【００１１】
【作用及び発明の効果】
請求項１のものはスプレッダーの下面にスリット状の主射水孔を左右方向に沿って設けるとともに、スプレッダーの空洞部内に且つその空洞部及び主射水孔の左右端より中心側に偏った位置であって主射水孔よりも上方位置に、左右方向に流れた水流の向きを下方且つ斜め外方に方向誘導する主ガイド面を設けたもので、この洗浄装置においては、給水圧の低い小流量時においてはスプレッダーの空洞部内への洗浄水の流入の勢いが弱く、従って空洞部内に流入した洗浄水は主として空洞部の下部において左右末端まで比較的緩やかに広がった後、スリット状の主射水孔からその全長に亘って下向きに流出し、鉢面を広い範囲に亘って洗浄する。
【００１２】
一方給水圧の高い大流量時には、スプレッダーの空洞部がそこに勢い良く流入した洗浄水によって全高に亘り充たされ、更に引き続いて空洞部内に勢い良く流入する洗浄水によって左右に勢いよく押し流される。
而して左右に勢いよく押し流された洗浄水は端部近傍の主ガイド面に突き当たって、その主ガイド面の案内作用で流れの方向を下方斜め外方に方向誘導され、同方向に勢いよく射水される。
【００１３】
ここで主ガイド面は空洞部及び主射水孔の左右両端よりも中心側に偏った位置に設けてあり、従って高流量時においてスプレッダーからの洗浄水が不必要に広がり過ぎることがなく、小便器に対する洗浄範囲を広く確保しつつ、スプレッダーからの洗浄水がその勢いによって鉢外に流出するのが防止される。
【００１４】
ここで上記主ガイド面は、その延長線が、小便器下部の垂れ受部の前部に洗浄水を導くための段部の上端に達するような向きで形成しておくことができる。
【００１５】
上記空洞部内には、主ガイド面より中心側に、水流を主ガイド面に向けて案内する左右方向に水平な補助ガイド面を設けておくことができる（請求項２）。
このようにしておけば、大流量時において空洞部内に勢いよく流入した洗浄水を、その補助ガイド面により主ガイド面に向けて良好に案内でき、従って主ガイド面による水流の方向誘導作用を効果的に行わせることができる。
【００１６】
本発明においては、スプレッダーの下面且つ主ガイド面を延長した部分に、上記スリット状の主射水孔よりも前後方向幅の大きな補助射水孔を設けておくことが望ましい（請求項３）。
このような補助射水孔を設けておくと、主ガイド面の作用で方向誘導した洗浄水を、その大きな補助射水孔を通じて強い勢いでスプレッダー外部に射水することができる。そしてこれにより、空洞部内且つ補助射水孔よりも左右端部側にある洗浄水を、その補助射水孔を通る強い勢いの水流に巻き込む形で、主射水孔両端よりも内側（中心側）の位置から射水することができる。
これにより大流量時において洗浄水が不必要に広がり過ぎるのをより有効に防止することができる。
【００１７】
請求項４の洗浄装置は、上記主射水孔を左右方向中心部に向って下がり形状と成し且つその中心部に閉塞部を設けたものである。
スプレッダー式の洗浄装置の場合、従来、主射水孔の各部で水滴が発生且つ成長し、そして大きくなった水滴が主射水孔の各部から滴下する現象、所謂雨だれ現象を起こすことが問題となっていた。
【００１８】
これに対し請求項４の洗浄装置では、その主射水孔が中心部に向って下がり形状をなしており且つその中心部が閉塞部となしてあるため、主射水孔に沿った各部で水滴が発生成長してそれぞれが小便器下部の垂れ受部に向って滴下するのを防止して水滴をその中心部に向けて誘導することができる。しかもその中心部は閉塞部とされているため、同部分から水滴が滴下するのを抑制することができる。
【００１９】
この場合においてスプレッダーの下面を鉢面に向って斜め下方に傾斜させておくことができ、このようにした場合、その閉塞部に集めた水滴を表面張力で鉢面に滑らかに移行させることができ、スプレッダーからの水滴の滴下をより確実に防止することができる。
【００２０】
【実施例】
次に本発明の実施例を図面に基づいて詳しく説明する。
図１において、１０は小便器で下部に垂れ受部１２を有し、また鉢面１４上部にはスプレッダー１６が取り付けられていて、そのスプレッダー１６からの射水により小便器洗浄が行われるようになっている。
１８は小便器１０上端部のカバーであって、そのカバー１８の前面には人体を感知するセンサ２０が設けられているとともに、カバー１８の内部には図示を省略する自動開閉弁が内蔵されている。
而して本例の小便器１０の場合、センサ２０による人体感知に基づいて、具体的には小便器１０から使用者が立ち去ったことを感知して自動開閉弁が働き、給水管からの水をスプレッダー１６に導いてそこから射水させる。
【００２１】
本例において、小便器１０の下部には段部２１が設けられている。
段部２１は、図１（Ｃ）に示しているように小便器１０の側壁部内面の所定位置の始端（上端）から下向き且つ垂れ受部１２内面を巡るように設けられており、そして垂れ受部１２の最前部において高さが最も低く形成されている。
本例において、スプレッダー１６から射水された洗浄水の一部がこの段部２１の上に乗って垂れ受部１２内面を巡るように流れ、そして垂れ受部１２の最前部に到った後、小便器１０底部へと流れて垂れ受部１２内面を洗浄し、その後排水口２２から排出される。
【００２２】
スプレッダー１６は、図２に示しているように本体部（この例では樹脂製）２４と、後側の円筒形状の給水部（この例では樹脂製）２６と、本体部２４を覆う金属製のカバー２８とを有している。
ここで給水部２６は、図示を省略する給水管からの水を本体部２４へと給水する部分である。
【００２３】
この給水部２６には、図３に示しているように本体部２４の背面に接する位置において四角形状の嵌合部３０が設けられており、この嵌合部３０が、陶器製の小便器１０に形成された対応する四角形状の嵌合孔３２に回転不能に嵌合されている。
【００２４】
本体部２４は全体として左右方向に細長い函体状を成していて、その内部に左右方向に長い空洞部３４を有している。
そしてその空洞部３４の左右方向中央部において給水部２６の給水口３６が開口している。
【００２５】
本体部２４の下面３８は、図２（Ａ）に示しているように左右端から中心部に向って下向きの傾斜形状をなしており、更に図２（Ｃ）に示しているように下面３８全体が小便器１０の鉢面１４に向かって斜め下方に傾斜した傾斜面とされている。
その下面３８には、図２（Ｂ）に示しているように本体部２４の略左右全長に亘ってスリット状の主射水孔４０が内部の空洞部３４に連通する状態で形成されている。
ここで主射水孔４０は、左右全長に亘って空洞部３４に連通状態とされている。
この主射水孔４０は最下部位置となる左右中央部が部分的に閉塞部４２とされている。
【００２６】
尚、上記金属製のカバー２８には図４に示しているように掛止爪４４が内向きに突設されており、ビス４８を本体部２４の雌ねじ孔５０にねじ込むことで、図４（II），（III）に示しているようにその掛止爪４４が本体部２４の掛止凹部４６に掛止状態となって、カバー２８が本体部２４に固定状態に装着される。
【００２７】
図２（Ａ）に示しているように空洞部３４の上面には、給水口３６から空洞部３４内部に流入した洗浄水の流れを水平且つ左右方向に案内する補助ガイド面５２が形成されている。更にこの補助ガイド面５２に連続して主ガイド面５４が形成されている。
主ガイド面５４は、左右の端部側に進むにつれて下方に移行する湾曲形状をなしており、且つその下端が空洞部３４の下底部、即ち上記スリット状の主射水孔４０よりも所定距離上方に位置させられている。
【００２８】
ここで左右一対の主ガイド面５４は、空洞部３４及び主射水孔４０の左右両端よりもそれぞれ中心側に偏った位置に形成されている。
これら主ガイド面５４は、空洞部３４内部を左右端に向って流れる水流の向きを下方且つ中心側と反対側の斜め外方に方向誘導する作用をなす。
尚これら主ガイド面５４は、その延長線が図１の段部２１の上端（始端）に到るように形成されている。
【００２９】
本体部２４の下面３８には、主射水孔４０と併せてこれよりも前後方向に幅の大きい補助射水孔５８が空洞部３４に連通する状態で設けられている。
ここで補助射水孔５８は主ガイド面５４を延長した部分において下面３８に設けられている。
この補助射水孔５８はまた左右方向に所定長さを有しており、そしてこの補助射水孔５８の形成部分において、主射水孔４０が閉塞部６０にて部分的に閉塞されている。
【００３０】
本例においては、図２（Ａ）に示しているように空洞部３４の上面且つ上記主ガイド面５４よりも左右の端部側の部分が上方に凹形状をなす凹形状部５６とされている。凹形状部５６は、その端が主射水孔４０の端とほぼ一致している。
尚、図２（Ｃ），（Ｄ）に示しているように主射水孔４０，補助射水孔５８何れも孔内面が小便器１０の鉢面１４に向って斜め下方に傾斜している。
【００３１】
本例の洗浄装置においては、給水圧の低い小流量時においては、給水口３６からスプレッダー１６の空洞部３４内への洗浄水の流入の勢いが弱く、従って空洞部３４内に流入した洗浄水は、図５（Ａ）中矢印Ａの流れに従って主として空洞部３４の下部において左右末端まで比較的緩やかに広がった後、スリット状の主射水孔４０からその全長に亘って下向きに流出し、鉢面１４を広い範囲に亘って洗浄する。
【００３２】
一方給水圧の高い大流量時には、図５（Ｂ）に示すようにスプレッダー１６の空洞部３４がそこに勢い良く流入した洗浄水によって全高に亘り充たされ、主射水孔４０から射水されるとともに、更に引き続いて空洞部３４内に勢い良く流入する洗浄水によって、空洞部３４内の洗浄水が左右に勢いよく押し流される。
【００３３】
このとき洗浄水は、水平をなす補助ガイド面５２の案内作用で左右端部側に向って誘導され、端部近傍の主ガイド面５４に勢い良く突き当る。そしてその主ガイド面５４の案内作用により水流の方向を、矢印Ｂで示しているように下方斜め外方に方向誘導される。
この主ガイド面５４の延長線上には前後方向幅の大きな補助射水孔５８が設けてあり、従って主ガイド面５４により下方斜め外方に方向誘導された洗浄水は、その大きな補助射水孔５８を通じて同方向にスプレッダー１６から勢い良く射水される。
【００３４】
ここで主ガイド面５４は空洞部３４及び主射水孔４０の左右両端よりも中心側に偏った位置に設けてあるため、高流量時においてスプレッダー１６からの洗浄水が不必要に広がり過ぎることがなく、小便器１０に対する洗浄範囲を広く確保しつつ、スプレッダー１６からの洗浄水がその勢いによって鉢外に流出するのが防止される。
【００３５】
本例においては上記のように補助射水孔５８が設けてあって、主ガイド面５４の作用で方向誘導した洗浄水を、その大きな補助射水孔５８を通じて強い勢いでスプレッダー１６外部に射水することができる。そしてこれにより、空洞部３４内且つ補助射水孔５８よりも左右端部側にある洗浄水を、その補助射水孔５８を通る強い勢いの水流に巻き込む形で補助射水孔５８から射水でき、これにより大流量時において洗浄水が不必要に広がり過ぎるのをより有効に防止することができる。
【００３６】
本例では、空洞部３４の上面であって主ガイド面５４よりも左右端部側の部分が凹形状部５６とされているため、小流量時において空洞部３４内に流入した洗浄水が、主ガイド面５４の下端をくぐり抜けてより広く左右方向端部まで広がることができ、広範囲に亘る洗浄をより効果的に行うことができる。
【００３７】
本例では、スプレッダー１６の主射水孔４０が中心部に向って下がり形状をなしていることから、主射水孔４０の各部で水滴が発生成長してそれぞれが小便器１０下部の垂れ受部１２に滴下するといったことを防止でき、水滴をその中心部に向けて誘導することができる。しかもその中心部は閉塞部４２とされているため、同部分から水滴が滴下するのを抑制できる。
【００３８】
しかもスプレッダー１６の下面は鉢面１４に向って斜め下方に傾斜しているため、その閉塞部４２に集めた水滴を表面張力で鉢面１４に滑らかに移行させることができ、スプレッダー１６からの水滴の滴下をより確実に防止できる。
【００３９】
以上本発明の実施例を詳述したがこれはあくまで一例示である。
例えば上記主ガイド面５４の形状はあくまで一例であって、この主ガイド面５４の形状を例えば傾斜形状にするなど他の形状とすることも可能であるし、また場合によって凹形状部５６を省略することも可能であるなど、本発明はその主旨を逸脱しない範囲において種々変更を加えた形態で構成可能である。
【図面の簡単な説明】
【図１】  本発明の一実施例である小便器の洗浄装置を小便器とともに示す図である。
【図２】  図１の洗浄装置の主体を成すスプレッダーを拡大して示す図である。
【図３】  図２のスプレッダーを小便器への取付前の状態で示す図である。
【図４】  図２のスプレッダーにおけるカバーの取付手順の説明図である。
【図５】  図２のスプレッダーの作用説明図である。
【図６】  スプレッダーを用いた小便器洗浄装置の従来の不具合の説明図である。
【図７】  図６における小便器の斜視図である。
【符号の説明】
１０  小便器
１２  垂れ受部
１４  鉢面
１６  スプレッダー
２６  給水部
３４  空洞部
３８  下面
４０  主射水孔
４２  閉塞部
５２  補助ガイド面
５４  主ガイド面
５６  凹形状部
５８  補助射水孔
【図１】
0003657810.tif 000002
【図２】
0003657810.tif 000003
【図３】
0003657810.tif 000004
【図４】
0003657810.tif 000005
【図５】
0003657810.tif 000006
【図６】
0003657810.tif 000007
【図７】
0003657810.tif 000008